(57)【要約】【課題】狭い収容スペースに複数のバッテリを効率よく接近して平行に配置でき、かつ奥側バッテリのバッテリ液の視認を行うことができる。【解決手段】車体の右側面に臨んで収容スペース１４を形成し、収容スペースの手前側から奥側に並列にバッテリ設置具２１，３１を配置し、手前側バッテリ設置具２１のバッテリ載置面２２ａより、奥側バッテリ設置具３１のバッテリ載置面３２ａを高く形成し、このバッテリ段差ΔＨを、奥側バッテリＢ２のバッテリ液面ＷＬ２が視認可能な高さとした。【選択図】図１
2013220908.tif 000002
【特許請求の範囲】
【請求項１】
複数のバッテリを搭載した産業用車両のバッテリ設置構造であって、
車体の外側面に臨んで収容スペースを形成し、
各バッテリ設置部を、収容スペースの外側面側から奥側に並列に配置し、
前記バッテリ設置部の載置面を、外側面側から奥側に順次高く形成するとともに、隣接して並設されたバッテリの高さの差を、奥側のバッテリ液の液面が外側面側から視認可能な高さとした
ことを特徴とする産業用車両のバッテリ設置構造。
【請求項２】
各バッテリ設置部に、バッテリを固定するバッテリ固定具を着脱可能に設けるとともに、隣接する前記バッテリ固定具をバッテリの長さ方向に位置ずれして配置した
ことを特徴とする請求項１記載の産業用車両のバッテリ設置構造。
【請求項３】
産業用車両はフォークリフトであり、
収容スペースを、カウンターウエイト前部の車体の側部に設置し、
収容スペースを覆うバッテリカバーを設け、
前記バッテリカバーに、バッテリのバッテリ液面を視認可能な点検口を設けた
ことを特徴とする請求項１または２記載の産業用車両のバッテリ設置構造。
【発明の詳細な説明】
【技術分野】
【０００１】
本発明は、産業用車両のバッテリ設置構造に関する。
【背景技術】
【０００２】
たとえば特許文献１には、フォークリフトのエンジンフード（ボンネット）内で運転席の左側に、２個のバッテリを直列に配置して取り付ける構造が開示されている。
しかし、フォークリフトであっても、小型、中型のものはカウンタウエイトが運転席に接近して配置されており、特に前後方向にスペースを確保しにくく、２個のバッテリを直列に配置するスペースを確保することが困難な場合がある。
【０００３】
この対策として、特許文献２に開示されるように、２個のバッテリを並列に配置することが考えられる。
【先行技術文献】
【特許文献】
【０００４】
【特許文献１】特開平１１−３４２８０９号公報
【特許文献２】特開平９−２１３２９２号公報
【発明の概要】
【発明が解決しようとする課題】
【０００５】
しかしながら、バッテリ設置用のスペースの幅も限られている場合、２個のバッテリを接近して配置することになる。この場合、バッテリ液の視認が困難になるという問題があった。
【０００６】
本発明は上記問題点を解決して、狭い収容スペースに複数のバッテリを効率よく配置でき、バッテリ液の視認も容易に行うことができる産業用車両のバッテリ設置構造を提供することを目的とする。
【課題を解決するための手段】
【０００７】
請求項１記載の発明は、
複数のバッテリを搭載した産業用車両のバッテリ設置構造であって、
車体の外側面に臨んで収容スペースを形成し、
各バッテリ設置部を、収容スペースの外側面側から奥側に並列に配置し、
前記バッテリ設置部の載置面を、外側面側から奥側に順次高く形成するとともに、隣接して並設されたバッテリの高さの差を、奥側のバッテリ液の液面が外側面側から視認可能な高さとしたものである。
【０００８】
請求項２記載の発明は、請求項１記載の構成において、
各バッテリ設置部に、バッテリを固定するバッテリ固定具を着脱可能に設けるとともに、隣接する前記バッテリ固定具をバッテリの長さ方向に位置ずれして配置したものである。
【０００９】
請求項３記載の発明は、請求項１または２記載の構成において、
産業用車両はフォークリフトであり、
収容スペースを、カウンタウエイト前部の車体の側部に設置し、
収容スペースを覆うバッテリカバーを設け、
前記バッテリカバーに、バッテリのバッテリ液面を視認可能な点検口を設けたものである。
【発明の効果】
【００１０】
請求項１記載の発明によれば、複数のバッテリを外側面側から奥側に並設するとともに、奥側のバッテリほど高くなるバッテリ設置部を設けたので、隣接するバッテリに隠れて奥側のバッテリ液面が見えなくなることがない。したがって、バッテリを直列に設置できないような狭い空間をバッテリの収容スペースとして、複数のバッテリを収容することができる。また始動時やメンテナンス時に行うバッテリ液のチェックを容易かつ正確に行うことができる。
【００１１】
請求項２記載の発明によれば、バッテリ固定具を位置ずれして配置することにより、隣接するバッテリ固定具との干渉をなくして、隣接するバッテリとの間隔を小さくすることができ、バッテリの占有空間を削減して、狭い収容スペースに複数のバッテリを収容することができる。
【００１２】
請求項３記載の発明によれば、フォークリフトの車体の側部に収容スペースを配置してバッテリカバーを設け、バッテリカバーに設けられた開口部からバッテリのバッテリ液面を視認することができる。したがって、接近して並設された奥側バッテリのバッテリ液面の点検を容易かつ正確に行うことができる。
【図面の簡単な説明】
【００１３】
【図１】本発明に係るフォークリフトのバッテリ設置構造の実施例を示し、収容スペースにおけるバッテリ設置状態を示す側面図である。
【図２】収容スペースにおけるバッテリ設置状態を示す正面図である。
【図３】収容スペースにおけるバッテリ設置状態を示す斜視図である。
【図４】バッテリカバーの装着状態を示す斜視図である。
【図５】バッテリ設置具を示す斜視図である。
【発明を実施するための形態】
【００１４】
［実施例］
以下、本発明の実施例を図面に基づいて説明する。
図３、図４に示すように、車体１１の後部に、リフト装置の荷重とのバランスをとるためにカウンタウエイト１２が設けられおり、車体１１の右側面に臨む車体１１の上面で、ヘッドガード１３の後部ポスト１３ａとカウンタウエイト１２との間に、バッテリ用の収容スペース１４が形成されている。この収容スペース１４には、２個のバッテリＢ１，Ｂ２を定位置でそれぞれ保持するために、図５に示す手前側（右側面側）および奥側のバッテリ設置具（バッテリ設置部）２１，３１が、収容スペース１４の手前側（外側面側）と奥側（奥側）に並列に配置されている。バッテリＢ１，Ｂ２は、本体とカバー体からなる直方体で、本体が半透明または透明で内部のバッテリ液面を外側から視認できる。また本体には一対の電極ターミナルと複数のプラグが取り付けられている。
【００１５】
手前側バッテリ設置具２１は、図５に示すように、ベースエリア２２に２個の弾性体からなる緩衝部材２３によりバッテリＢ１を高さＨ１のバッテリ載置面２２ａで支持するベースエリア２２と、ベースエリア２２に載置されたバッテリＢ１を固定するための手前側固定具２４とを具備している。この手前側固定具２４は、ベースエリア２２の手前側の車体１１上面に立設された門形ロッド状の係止部材２５およびベースエリア２２の奥側に立設された係止穴２６ａを有する係止板２６と、バッテリＢ１の前後面および上面を囲む門形の係止連結具２７とを具備している。この係止連結具２７は、バッテリＢ１の前面、上面に沿う垂直部２８ｖおよび水平部２８ｈを有するＬ形部材２８と、バッテリＢ１の背面に沿う締結ロッド２９とからなる。そしてＬ形部材２８は、垂直部２８ｖの下端部に、係止部材２５に係止可能なフック部２８ａが形成され、また水平部２８ｈの後端部に貫通穴２８ｂが形成されている。さらに締結ロッド２９には、下端部に係止板２６の係止穴２６ａに係止されるフック部２９ａが形成され、上端側に水平部２８ｈの貫通穴２８ｂに嵌め込まれるねじ軸２９ｂが形成されてナット部材２９ｃにより締付けられる。２８ｃは、Ｌ形部材２８の水平部２８ｈに形成されてバッテリＢ１のプラグとの干渉を避けるための絞り部である。
【００１６】
奥側バッテリ設置具３１は、手前側バッテリ設置具２１と略同一構造で、ベース部材３２（バッテリ載置面３２ａ）、緩衝部材３３、奥側固定具３４、板状の係止部材３５、係止板３６（係止穴３６ａ）、係止連結具３７、Ｌ形部材３８（垂直部３８ｖ、水平部３８ｈ、フック部３８ａ、貫通穴３８ｂ、絞り部３８ｃ）および締結ロッド３９（フック部３９ａ、ねじ軸３９ｂ、ナット部材３９ｃ）を具備している。そして、奥側バッテリ設置具３１と手前側バッテリ設置具２１は、ベース部材３２が門形断面に形成されてバッテリ載置面３２ａの高さＨ２が相違しており、また係止部材３５と係止板３６がベース部材３２に取り付けられている点でも相違している。さらに手前側固定具２４と奥側固定具３４とは、車体１１の前後方向（バッテリ長さ方向）に、少なくとも固定具２４,３４の幅以上で装着、分離操作可能な間隔δだけ位置ずれして配置されている。これにより手前側固定具２４と奥側固定具３４の干渉を無くし、手前側バッテリＢ１と奥側バッテリＢ２とを接近して配置することができ、収容スペース１４の削減に寄与することができる。
【００１７】
図１，図２に示すように、手前側バッテリ設置具２１と奥側バッテリ設置具３１は、車体１１の側面視で手前側から奥側に重なる位置で、手前側と奥側のバッテリ載置面２２ａ，３２ａが階段状に配置される。すなわち、これら奥側バッテリ設置具３１によるバッテリ載置面２２ａの高さＨ２は、手前側バッテリ設置具２１のバッテリ載置面３２ａの高さＨ１により、バッテリ段差ΔＨだけ高く、ΔＨ＝Ｈ２−Ｈ１に設定されている。バッテリＢ１，Ｂ２は同一種類（高さ）のものであることを前提として、バッテリ段差ΔＨにより、奥側のバッテリＢ２のバッテリ液面ＷＬ２が、手前側バッテリＢ１の上面より上位に位置させることができる。これにより、バッテリ正面側（車体１１の右側面側）から、奥側バッテリＢ２のバッテリ液面ＷＬ２を、手前側のバッテリＢ１に隠れることなく，視認することができる。
【００１８】
また手前側バッテリ設置具２１の手前側固定具２４と奥側バッテリ設置具３１の奥側固定具３４は、バッテリ長さ方向（車体幅方向）に位置ずれして配置されている。したがって、手前側バッテリ設置具２１と奥側バッテリ設置具３１とが干渉することが無く、手前側バッテリＢ１と奥側バッテリＢ２と接近して配置できる。これによりバッテリＢ１，Ｂ２の占有スペースを削減し、狭い空間部に収容スペース１４を設置することができる。
【００１９】
また図１，図４に示すように、収容スペース１４を覆うバッテリカバー４１が設けられている。このバッテリカバー４１は、その上面および右側面がカウンタウエイト１２の上面および右側面にそれぞれ連続する形状に形成されている。このカバー本体４２には、両バッテリＢ１，Ｂの上方で、上面傾斜部に開口部（点検口）４３が形成され、開口部４３からバッテリＢ１，Ｂ２の交換や配線接続部の点検などのメンテナンスを行うことができる。
【００２０】
そして開口部４３には、奥辺部にヒンジを介して開閉蓋４４が開閉自在に支持されており、開閉蓋４４の閉鎖位置で閉鎖姿勢でロックするロック機構を有しており、開閉蓋４４の遊端側に凹部状の取っ手４４ａに、ロック機構解除用の解除レバー（図示せず）が設けられている。またカバー本体４２の外側面で開口部４３の下方に、横長の監視窓（点検口）４５が形成されている。したがって、バッテリ液の点検については、開口部４３から奥側バッテリＢ２のバッテリ液面ＷＬ２を正確に視認することができ、また監視窓４５から手前側バッテリＢ１のバッテリ液面ＷＬ２を視認することができる。
【００２１】
上記実施例１によれば、２個のバッテリＢ１，Ｂ２を手前側と奥側とに並設するとともに、奥側バッテリＢ２が高い位置に保持するバッテリ設置部３１を設けたので、手前側バッテリＢ１に隠れて奥側バッテリＢ２のバッテリ液面ＷＬ２が見えなくなることがない。したがって、バッテリを直列に設置できないような狭い空間であっても、バッテリＢ１，Ｂ２を互いに平行に並列に配置して収容スペース１４として、２個のバッテリＢ１，Ｂ２を収容することができる。そして、始動時やメンテナンス時に２個のバッテリＢ１，Ｂ２のそれぞれのバッテリ液のチェックを容易かつ正確に行うことができる。
【００２２】
また手前側バッテリ設置具２１の手前側固定具２４と奥側バッテリ設置具３１の奥側固定具３４とをバッテリ長さ方向にδだけ位置ずれして配置することにより、隣接するバッテリ固定具２４，３４同士の干渉をなくして、隣接するバッテリＢ１，Ｂ２との間隔を小さくすることができ、バッテリの占有空間を削減して、狭い収容スペースに複数のバッテリを収容することができる。
【００２３】
さらに収容スペース１４に、開閉蓋４４付きの開口部４３を有するバッテリカバー４１を設け、開閉蓋を開けて、開口部４３から奥側バッテリＢ２のバッテリ液面ＷＬ２を視認することができ、またカバー本体４２に形成された監視窓４５から手前側バッテリＢ１のバッテリ液面ＷＬ１を視認できる。したがって、接近して並設された２個のバッテリＢ１，Ｂ２のバッテリ液面ＷＬ１，ＷＬ２の点検を容易かつ正確に行うことができる。
【００２４】
なお、実施例１では、手前側と奥側の２個のバッテリＢ１，Ｂ２を収容したが、３〜５個のバッテリであっても、バッテリ段差ΔＨを設けて収容することができる。
【符号の説明】
【００２５】
Ｂ１  手前側バッテリ
Ｂ２  奥側バッテリ
ΔＨ  バッテリ段差
δ    間隔
Ｈ１  手前側バッテリの載置面高さ
Ｈ２  奥側バッテリの載置面高さ
１１    車体
１２    カウンタウエイト
１３    ヘッドガード
１３ａ  後部ポスト
１４    収容スペース
２１    手前側バッテリ設置具
２２    ベースエリア
２２ａ  バッテリ載置面
２３    緩衝部材
２４    手前側固定具
２５    係止部材
２６    係止板
２６ａ  係止穴
２７    係止連結具
２８    Ｌ形部材
２９    締結ロッド
３１    手前側バッテリ設置具
３２    ベース部材
３２ａ  バッテリ載置面
３３    緩衝部材
３４    奥側固定具
３５    係止部材
３６    係止板
３７    係止連結具
３９    締結ロッド
４１    バッテリカバー
４２    カバー本体
４３    開口部
４４    開閉蓋
４５    監視窓
【図１】
2013220908.tif 000003
【図２】
2013220908.tif 000004
【図３】
2013220908.tif 000005
【図４】
2013220908.tif 000006
【図５】
2013220908.tif 000007